(57)【要約】【課題】火炎に晒されても貫通しにくい合成樹脂製の枠体を備えた建具を提供する。【解決手段】合成樹脂製の枠体と、開口を開閉可能に枠体に案内されてスライドする障子と、を有し、枠体は、その外周側に、障子のスライド方向に沿って形成された第１中空部を備えた外周部と、第１中空部に収容されてスライド方向に沿って設けられ、躯体に保持される不燃性または難燃性の補強部材と、外周部から枠体の内周側に突出しスライド方向に沿って形成された第２中空部を備えて障子を案内する内突出部と、第２中空部に収容されてスライド方向に沿って設けられた不燃性または難燃性の遮炎部材と、内突出部とともにスライド方向に沿って当該内突出部と繋がるように配置される不燃性または難燃性の固定部材と、を有し、固定部材は、遮炎部材を支持するとともに補強部材に固定されている。【選択図】図４
2015105466.tif 000002
【特許請求の範囲】
【請求項１】
枠組みされて開口を形成する合成樹脂製の枠体と、
前記開口を開閉可能に前記枠体に案内されてスライドする障子と、を有し、
前記枠体は、
その外周側に、前記障子のスライド方向に沿って形成された第１中空部を備えた外周部と、
前記第１中空部に収容されて前記スライド方向に沿って設けられ、躯体に保持される不燃性または難燃性の補強部材と、
前記外周部から前記枠体の内周側に突出し前記スライド方向に沿って形成された第２中空部を備えて前記障子を案内する内突出部と、
前記第２中空部に収容されて前記スライド方向に沿って設けられた不燃性または難燃性の遮炎部材と、
前記内突出部とともに前記スライド方向に沿って当該内突出部と繋がるように配置される不燃性または難燃性の固定部材と、
を有し、
前記固定部材は、前記遮炎部材を支持するとともに前記補強部材に固定されていることを特徴とする建具。
【請求項２】
請求項１に記載の建具であって、
前記固定部材は、前記開口を閉じた状態の前記障子の戸尻側の部位と見込み方向において対向する位置に設けられていることを特徴とする建具。
【請求項３】
請求項１または請求項２に記載の建具であって、
前記固定部材の外周側には、前記スライド方向に沿うスリットが設けられており、
前記遮炎部材の内周側には、外周側に窪む凹部が設けられており、
前記遮炎部材が前記スリットに挿入されて前記固定部材の前記スライド方向における縁部に前記凹部の前記スライド方向における縁部が係合して位置決めされることを特徴とする建具。
【請求項４】
請求項３に記載の建具であって、
前記固定部材は、前記遮炎部材が挿入された前記スリットの、見込み方向における両側にて前記固定具にて固定されていることを特徴とする建具。
【請求項５】
請求項１乃至請求項４のいずれかに記載の建具であって、
前記遮炎部材には、前記障子を閉じたときに見込み方向において当該障子と対向する部位に熱発泡性耐火材が設けられていることを特徴とする建具。
【請求項６】
請求項１乃至請求項４のいずれかに記載の建具であって、
前記内突出部は、前記障子の周縁部が収容される収容部をなし、
前記遮炎部材は、前記障子を閉じたときに見込み方向において当該障子が位置する一方側に熱発泡性耐火材が設けられていることを特徴とする建具。
【発明の詳細な説明】
【技術分野】
【０００１】
本発明は、合成樹脂製の枠体と、枠体に案内されてスライドする障子と、を有する建具に関する。
【背景技術】
【０００２】
合成樹脂製の枠体と、枠体に案内されてスライドする障子と、を有する建具としては、例えば、枠内開口部側に位置する壁部より突出する窓框との係合部を有する合成樹脂製の枠材を四周枠組みして形成された窓枠が知られている（例えば、特許文献１参照）。この窓枠は中空構造であり、枠内開口部側に位置する壁部の内壁面に近接させて熱膨張性耐火層が内設されている。すなわち、窓框との係合部が突出されている壁部が一部をなす中空部内に、熱膨張性耐火材が設けられている。
【先行技術文献】
【特許文献】
【０００３】
【特許文献１】特開２００５−３５１００９号公報
【発明の概要】
【発明が解決しようとする課題】
【０００４】
上記のような窓枠は、窓枠が有する中空部内に熱膨張性耐火材が設けられているので、火災などにより加熱された場合には、膨張した耐火材は中空部内に留まる。このとき、窓框との係合部は中空部の外側に設けられているので、溶融してしまうおそれがある。窓枠との係合部が溶融して空隙が生じると、この空隙から火炎が窓框の反対側に貫通してしまうおそれがあるという課題がある。
【０００５】
本発明は、かかる課題に鑑みてなされたものであり、その目的とするところは、火炎に晒されても貫通しにくい、合成樹脂製の枠体を備えた建具を提供することにある。
【課題を解決するための手段】
【０００６】
かかる目的を達成するために本発明の建具は、枠組みされて開口を形成する合成樹脂製の枠体と、前記開口を開閉可能に前記枠体に案内されてスライドする障子と、を有し、前記枠体は、その外周側に、前記障子のスライド方向に沿って形成された第１中空部を備えた外周部と、前記第１中空部に収容されて前記スライド方向に沿って設けられ、躯体に保持される不燃性または難燃性の補強部材と、前記外周部から前記枠体の内周側に突出し前記スライド方向に沿って形成された第２中空部を備えて前記障子を案内する内突出部と、前記第２中空部に収容されて前記スライド方向に沿って設けられた不燃性または難燃性の遮炎部材と、前記内突出部とともに前記スライド方向に沿って当該内突出部と繋がるように配置される不燃性または難燃性の固定部材と、を有し、前記固定部材は、前記遮炎部材を支持するとともに前記補強部材に固定されていることを特徴とする建具である。
【０００７】
このような建具によれば、外周部から枠体の内周側に突出し障子を案内する内突出部に備えられスライド方向に沿って形成された第２中空部に、不燃性または難燃性の遮炎部材が収容されており、遮炎部材はスライド方向に沿って内突出部と繋がって配置される不燃性または難燃性の固定部材に支持されており、固定部材は、外周部に備えられた第１中空部に収容されて躯体に保持される不燃性または難燃性の補強部材に固定されている。このため、たとえ、建具が火炎に晒されて加熱され合成樹脂製の枠体が溶融したとしても、遮炎部材は躯体に保持された補強部材に固定された固定部材に支持されているので、火炎が枠体と障子との間から見込み方向に貫通することを防止することが可能である。このため、火炎に晒されても貫通しにくい合成樹脂製の枠体を備えた建具を提供することが可能である。
【０００８】
かかる建具であって、前記固定部材は、前記開口を閉じた状態の前記障子の戸尻側の部位と見込み方向において対向する位置に設けられていることが望ましい。
このような建具によれば、不燃性または難燃性の固定部材が、開口を閉じた状態の障子の戸尻側の部位と見込み方向において対向する位置に設けられているので、障子の戸尻側となる、開口の内と外との境界部分において、火炎が貫通することを防止することが可能である。
【０００９】
かかる建具であって、前記固定部材の外周側には、前記スライド方向に沿うスリットが設けられており、前記遮炎部材の内周側には、外周側に窪む凹部が設けられており、前記遮炎部材が前記スリットに挿入されて前記固定部材の前記スライド方向における縁部に前記凹部の前記スライド方向における縁部が係合して位置決めされることが望ましい。
このような建具によれば、固定部材の外周側に設けられた、スライド方向に沿うスリットに挿入されて、固定部材のスライド方向における縁部に遮炎部材に設けられた凹部のスライド方向における縁部が係合するので、遮炎部材をスライド方向に位置決めすることが可能であり、遮炎部材の移動を規制することが可能である。
【００１０】
かかる建具であって、前記固定部材は、前記遮炎部材が挿入された前記スリットの、見込み方向における両側にて前記固定具にて固定されていることが望ましい。
このような建具によれば、固定部材は、遮炎部材が挿入されたスリットの、見込み方向における両側にて固定されているので、遮炎部材は固定部材から外れることなく、より確実に固定部材により遮炎部材を支持することが可能である。
【００１１】
かかる建具であって、前記遮炎部材には、前記障子を閉じたときに見込み方向において当該障子と対向する部位に熱発泡性耐火材が設けられていることが望ましい。
このような建具によれば、遮炎部材には、開口を閉じた状態の障子と対向する部位に熱発泡性耐火材が設けられているので、建具が火炎に晒されて加熱された場合には熱発泡性耐火材が発泡して遮炎部材と障子との間が膨張した熱発泡性耐火材で埋められる。このため、より火炎が貫通しにくい建具を提供することが可能である。
【００１２】
かかる建具であって、前記内突出部は、前記障子の周縁部が収容される収容部をなし、前記遮炎部材は、前記障子を閉じたときに見込み方向において当該障子が位置する一方側に熱発泡性耐火材が設けられていてもよい。
このような建具によれば、障子の周縁部が収容される収容部をなす内突出部に収容された遮炎部材の、開口を閉じた状態の障子が位置する一方側に熱発泡性耐火材が設けられているので、建具が火炎に晒されて加熱された場合には熱発泡性耐火材が発泡して遮炎部材と障子との間が膨張した熱発泡性耐火材で埋められる。このため、より火炎が貫通しにくい建具を提供することが可能である。
【発明の効果】
【００１３】
本発明によれば、火炎に晒されても貫通しにくい、合成樹脂製の枠体を備えた建具を提供することが可能である。
【図面の簡単な説明】
【００１４】
【図１】本実施形態に係る建具を室内側から見た外観図である。
【図２】本実施形態に係る建具を示す縦断面図である。
【図３】建具の上部側を示す縦断面図である。
【図４】上枠の召合せ部の構成を示す斜視図である。
【図５】遮炎部材の取付部の構成を示す斜視図である。
【図６】遮炎部材、中継部材及び吊り下げ部材が設けられた上枠を下方から見た図である。
【図７】建具の下部側を示す縦断面図である。
【図８】本実施形態に係る建具を示す横断面図である。
【図９】建具の左端側を示す横断面図である。
【図１０】建具の右端側を示す横断面図である。
【図１１】建具の召合せ部を示す横断面図である。
【発明を実施するための形態】
【００１５】
以下、本発明の一実施形態に係る建具について図面を参照して説明する。
【００１６】
本実施形態では、屋内外の境界に設けられ枠組みされて開口を形成する枠体と、枠体に案内されて開口を開閉可能にスライドする障子と、を有する建具として、図１に示すような引き違い方式の建具を例に挙げて説明する。
【００１７】
本実施形態の建具１は、引き違い方式にて移動可能な２枚の障子３、４と、躯体２に取り付けられて２枚の障子３、４により閉塞可能な開口１０ａを形成する合成樹脂製の枠体１０とを有している。
【００１８】
以下の説明においては、躯体２の取り付けられた建具１を室内側から見たときに、上下となる方向を上下方向、左右となる方向を左右方向、室内外方向である奥行き方向を見込み方向とするとともに、枠体１０の面内方向において開口１０ａの中央側を内周側、開口１０ａの外側を外周側として示す。また、建具１を構成する各部材及び各部位については、単体の状態であっても建具１が取り付けられた状態で上下方向、左右方向、見込み方向等となる方向、及び、枠体の内周側、外周側にて方向を特定して説明する。
【００１９】
枠体１０は、同一の断面形状をなす合成樹脂製の４本の押出成形部材が上枠１１、下枠１２、左枠１３及び右枠１４をなすように矩形状に枠組みされて形成されている。上枠１１、下枠１２、左枠１３及び右枠１４は、図１に示すように、各々所定の長さにて端部が４５度に切断され、互いに突き合わされて溶着されている。
【００２０】
上枠１１、下枠１２、左枠１３及び右枠１４は、同一の断面形状をなしているので、ここでは、上枠１１、下枠１２、左枠１３及び右枠１４の構造について、主に上枠１１を例に挙げて説明する。また、以下の説明及び図面においては、下枠１２、左枠１３及び右枠１４において上枠１１と同一の部位には、各々下枠１２及び各縦枠１３、１４を示す番号の後に同一のアルファベット添えた符号を付して示すものとする。
【００２１】
上枠１１は、図２、図３に示すように、左右方向に貫通し見込み方向に並べて設けられた３つの中空部を有する枠本体部１１ａと、枠本体部１１ａをなし開口１０ａの中央側に臨む平面を有する本体内板部１１ｂと、本体内板部１１ｂの室内側の端から下方に垂設された内壁部１１ｃと、本体内板部１１ｂの室外側の端から下方に垂設された外壁部１１ｄと、内壁部１１ｃと外壁部１１ｄとの間を見込み方向において２つの領域に仕切るように本体内板部１１ｂから枠体１０の内周側に突出する内突出部としての中央壁部１１ｅと、枠本体部１１ａの上面１１ｆに設けられて躯体２に固定される躯体固定部１１ｇと、内壁部１１ｃの室内に臨む面に設けられて内装材としての額縁５に固定される内装材固定部１１ｈと、を有している。ここで、上枠１１の本体内板部１１ｂと、本体内板部１１ｂより上側、すなわち本体内板部１１ｂより枠体１０の外周側の部位が枠体１０の外周部に相当する。
【００２２】
内壁部１１ｃと中央壁部１１ｅと本体内板部１１ｂとから形成され、上方に窪む室内側溝部１１ｉに内障子３の上端部が収容されて、内障子３の左右方向への移動が内壁部１１ｃと中央壁部１１ｅとにより案内され、外壁部１１ｄと中央壁部１１ｅと本体内板部１１ｂとから形成され、上方に窪む室外側溝部１１ｊに外障子４の上端部が収容されて、外障子４の左右方向への移動が外壁部１１ｄと中央壁部１１ｅとにより案内される。ここで、室内側溝部１１ｉ、室外側溝部１１ｊのように、枠体１０の外周側に窪むように設けられた溝部が障子３、４の周縁部が収容される収容部に相当する。
【００２３】
枠本体部１１ａが有する３つの中空部は、見込み方向において中央に位置する第１中空部としての中央中空部１１ｋが、室内側及び室外側の端中空部１１ｎより大きく形成されている。中央中空部１１ｋは、本体内板部１１ｂを挟んで下側に設けられた室内側溝部１１ｉと室外側溝部１１ｊとの上方に渡って設けられている。
【００２４】
躯体固定部１１ｇは、中央中空部１１ｋの上方に突出されたヒレ状をなす部位であり、内装材固定部１１ｈは、枠本体部１１ａの本体内板部１１ｂより開口１０ａの中央側にて内壁部１１ｃから室内側に突出されたヒレ状をなす部位である。本実施形態においては、躯体固定部１１ｇは、中央中空部１１ｋの室内側に偏らせて設けられている。
【００２５】
中央中空部１１ｋの本体内板部１１ｂと対向して上方に位置する本体外板部１１ｌには、中央中空部１１ｋの内側に窪む段差部１１ｍが、中央中空部１１ｋの室内側に偏った位置に設けられている。この段差部１１ｍには、中央中空部１１ｋ内に設けられる不燃性である金属製の第１枠側補強部材２０と、躯体固定部１１ｇとともに躯体２にビス止めされる連結金具２１の補強材接合部２１ａとを本体外板部１１ｌを介して接合するビス４０の頭部が収容される。
【００２６】
第１枠側補強部材２０は、本体外板部１１ｌの、段差部１１ｍを形成している部位の下面と対向する内対向部２０ａと、中央中空部１１ｋ内の本体内板部１１ｂの見込み方向におけるほぼ全域と対向する下対向部２０ｂと、内対向部２０ａと下対向部２０ｂとの室内側の端部同士を上下に繋ぐ上下接合壁部２０ｃと、下対向部２０ｂの室外側の端部から上方に延出された上方延出部２０ｄと、を有する形状をなしている。ここで、連結金具２１の左右方向の幅は、ビス止め可能な程度の幅、すなわち、上枠１１の左右方向の幅より十分狭く形成されており、第１枠側補強部材２０は、上枠１１の左右方向のほぼ全域に渡って設けられている。
【００２７】
上枠１１の中央壁部１１ｅは、左右方向に貫通する第２中空部としての内周中空部１１ｏを有している。また、上枠１１の中央壁部１１ｅは、障子３、４にて開口１０ａが閉塞されたときに、障子３、４の戸尻側となる召合せ框３４、４４が見込み方向に対向している召合せ部１０ｂに位置する部位が、図４、図５に示すように切除されている。すなわち、中央壁部１１ｅは、切除された部位を挟んで左右の両側にそれぞれ設けられている。左右に設けられた２つの中央壁部１１ｅの内周中空部１１ｏには、左右方向におけるほぼ全域にわたるように、すなわち２つの中央壁部１１ｅ内を貫通するように金属製の遮炎部材１６が設けられている。
【００２８】
遮炎部材１６は、断面がコ字状をなすように、ほぼ鉛直に配置される遮炎壁部１６ａと遮炎壁部１６ａを補強するために、遮炎壁部１６ａの上下の端部から室外側に延出された補強片１６ｂとを有している。遮炎部材１６は、２つの中央壁部１１ｅ内にわたるように配置されたときに、中央壁部１１ｅの切除された部位に位置する部分の、内周側が切り欠かれて、外周側に窪む凹部としての切欠部１６ｃが設けられている。
【００２９】
上枠１１において、２枚の障子３、４の間に位置する中央壁部１１ｅ内に設けられた遮炎部材１６には、２枚の障子３、４を閉じた状態で遮炎壁部１６ａの各障子３、４側に臨む面に熱発泡性耐火材としての熱膨張性黒鉛３８が設けられている。より具体的には、図５に示すように、遮炎部材１６には、内障子３と外障子４との召合せ部に位置する中継部材２２に係合する切欠部１６ｃより右側に位置する部位の内障子３側となる室内側面に熱膨張性黒鉛３８が設けられており、切欠部１６ｃより左側に位置する部位の外障子４側となる室外側面に熱膨張性黒鉛３８が設けられている。
【００３０】
２つの中央壁部１１ｅ間となる、中央壁部１１ｅが切除された部位には、分断された中央壁部１１ｅが繋がるように不燃性である固定部材としての中継部材２２が取り付けられる。
【００３１】
中継部材２２は、上枠１１に固定される枠固定部２２ａと、枠固定部２２ａの見込み方向の中央から突出される中継本体部２２ｂとを有しており、中継本体部２２ｂの先端に合成樹脂製の風止め部材２４が嵌合される風止め部材嵌合部２２ｃが設けられ、中継部材２２の外周側にて本体内板部１１ｂと対向する部位には、左右方向に沿って中継本体部２２ｂ側に窪み、遮炎部材１６が収容されるスリット２２ｇが形成されている。スリット２２ｇの見込み方向の幅は、遮炎部材１６の見込み方向の幅より僅かに広く形成されている。
【００３２】
遮炎部材１６は、切欠部１６ｃの外周側がスリット２２ｇに収容されるように中継部材２２に係合され、召合せ部１０ｂの本体内板部１１ｂを介して第１枠側補強部材２０にビス止めされる。遮炎部材１６がスリット２２ｇに収容されて固定された中継部材２２は、切欠部１６ｃの左右の縁部１６ｄと中継部材２２の左右方向の縁部２２ｈとが各々僅かに間隔を隔てて対向するように遮炎部材１６と係合することにより、遮炎部材１６の左右方向における移動が規制される。
【００３３】
上枠１１に取り付けられる中継部材２２は、障子３、４が火炎等により加熱されて溶融する場合であっても、遮炎部材１６を保持しつつ障子３、４を吊り下げて保持することができるように設けられる不燃性の吊り下げ金具２３とともにビス止めされる。また、中継部材２２と吊り下げ金具２３とが本体内板部１１ｂを介してビス止めされた第１枠側補強部材２０の下対向部２０ｂと本体内板部１１ｂとの間には、熱膨張性黒鉛３８が設けられている。
【００３４】
中継部材２２は、上枠１１に固定されると、召合せ部１０ｂにて分断された中央壁部１１ｅの一方側と他方側とが中継本体部２２ｂにて繋がり、風止め部材２４が中央壁部１１ｅより開口１０ａの中央側に突出するように構成されている。
【００３５】
上枠１１に固定される中継部材２２の枠固定部２２ａは、中継本体部２２ｂが設けられている中央部２２ｄが、当該中央部２２ｄより、室内側及び室外側に位置し固定用ビスの貫通穴２２ｅが設けられた脇部２２ｆより厚く形成されている。このため、中央部２２ｄが上枠１１に当接されると、脇部２２ｆと上枠１１との間に空隙が生じるように形成されている。この空隙に吊り下げ金具２３の固定部２３ａが介在され、吊り下げ金具２３は中継部材２２とともに第１枠側補強部材２０の下対向部２０ｂにビス止めされている。
【００３６】
吊り下げ金具２３は、中継部材２２が有する枠固定部２２ａの脇部２２ｆと上枠１１との間の空隙に介在される固定部２３ａと、固定部２３ａから垂設され中央壁部１１ｅと見込み方向に間隔を隔てて対向する対向壁部２３ｂと、対向壁部２３ｂの下端に設けられ、障子３、４に設けられた不燃性のフック金具３６と係合される鉤状部２３ｃとを有している。
【００３７】
吊り下げ金具２３の対向壁部２３ｂは、上枠１１に取り付けられたときに室内側溝部１１ｉ及び室外側溝部１１ｊの見込み方向の中央より僅かに内壁部１１ｃ及び外壁部１１ｄ側に偏って配置されるように形成され、鉤状部２３ｃが室内側溝部１１ｉ及び室外側溝部１１ｊの見込み方向のほぼ中央に位置するように形成されている。吊り下げ金具２３は、鉤状部２３ｃが、中央壁部１１ｅとほぼ同じ位置まで下方に突出されており、鉤状部２３ｃと中央壁部１１ｅとが見込み方向において互いに間隔を隔てるように取り付けられる。また、各吊り下げ金具２３の対向壁部２３ｂの中央壁部１１ｅに臨む面には、室内側溝部１１ｉと室外側溝部１１ｊに設けられたフック金具３６より上側の部位にそれぞれ熱膨張性黒鉛３８が設けられている。
【００３８】
吊り下げ金具２３の左右方向の幅は、図６に示すように、中継部材２２の左右方向の幅より広く形成されており、中継部材２２の固定部２３ａと重なる部位から繋がって、吊り下げられる障子３、４の戸先側にそれぞれ延出されている。
【００３９】
下枠１２の室内側溝部１２ｉ及び室外側溝部１２ｊには、図７に示すように、内障子３及び外障子４に設けられた戸車６０が載置されて内障子３及び外障子４を案内するレール１５ａを備えたレール部材１５が設けられている。このレール部材１５は、アルミニウム製の押出成形部材であり、下枠１２の全長に渡って設けられている。
【００４０】
下枠１２の中央中空部１２ｋ内には、第２枠側補強部材１２０が設けられている。第２枠側補強部材１２０は、本体内板部１２ｂと対向する内対向板部１２０ａと、見込み方向に間隔を隔てて設けられ内対向板部１２０ａから外周側に延出された２本の延出部１２０ｂと、延出部１２０ｂを共有し内対向板部１２０ａから外周側に窪むように形成されたビス止め用の２つの溝部１２０ｃと、室内側に設けられた延出部１２０ｂの先端側から室内側に延出され段差部１２ｍと対向してビス止めされる固定片１２０ｄとを有している。２つの溝部１２０ｃの見込み方向の間隔は、中継部材２２に設けられた固定用ビスの貫通穴２２ｅの間隔と一致している。
【００４１】
左枠１３の中央中空部１３ｋには、図８、図９に示すように、上枠１１と同様に第１枠側補強部材２０が設けられており、左枠１３は、連結金具２１により、中央中空部１３ｋ内に設けられた第１枠側補強部材２０と本体外板部１３ｌを介して接合され、躯体固定部１３ｇとともに躯体２にビス止めされて躯体２と第１枠側補強部材２０とが連結されている。
【００４２】
左枠１３が有する室外側溝部１３ｊには、外障子４と係合する不燃性である金属製の係合部材２５が設けられており、本体内板部１３ｂを介して中央中空部１３ｋ内の第１枠側補強部材２０にビス止めされている。中央中空部１３ｋ内の第１枠側補強部材２０には、内対向部２０ａの外周側（左側）の面において中央壁部１３ｅの裏側に相当する位置から室外側の部位に熱膨張性黒鉛３８が、長手方向における全域に渡って設けられている。
【００４３】
右枠１４の中央中空部１４ｋには、図８、図１０に示すように、下枠１２と同様の第２枠側補強部材１２０が設けられており、右枠１４は、連結金具２１により、中央中空部１４ｋ内に設けられた第２枠側補強部材１２０と本体外板部１４ｌを介して接合され、躯体固定部１４ｇとともに躯体２にビス止めされて躯体２と第２枠側補強部材１２０とが連結されている。
【００４４】
右枠１４が有する室内側溝部１４ｉには、内障子３と係合する金属製の係合部材２５が設けられており、本体内板部１４ｂを介して第２枠側補強部材１２０の一方の溝部１２０ｃにビス止めされている。左枠１３に設けられた係合部材２５は、係合片２５ａの先端は、外壁部１３ｄ及び中央壁部１３ｅの先端とほぼ同じ位置まで突出しており、右枠１４に設けられた係合部材２５は、係合片２５ａの先端は、内壁部１４ｃ及び中央壁部１４ｅの先端とほぼ同じ位置まで突出している。
【００４５】
係合部材２５は、断面形状がＬ字状をなすアルミニウム製の部材であり、左枠１３に固定される係合部材２５と右枠１４に固定される係合部材２５とは同一の部材である。係合部材２５は、内障子３または外障子４と係合する係合片２５ａと、係合片２５ａと直交し左枠１３及び右枠１４に当接される固定片２５ｂとがＬ字状をなすように形成されている。
【００４６】
係合部材２５は、本体内板部１３ｂ、１４ｂを介して固定片２５ｂが第１枠側補強部材２０または第２枠側補強部材１２０にビス止めされると、係合片２５ａが室外側溝部１３ｊまたは室内側溝部１４ｉにて見込み方向におけるほぼ中央にて開口１０ａの中央側に向かって突出するように配置される。係合片２５ａは、固定片２５ｂ側となる基端部と先端部とを除く部位の見込み方向の厚みが、基端部及び先端部より薄く形成されて、室内側と室外側とに開放された窪みが設けられており、この窪みに熱膨張性黒鉛３８が、長手方向における全域に渡って設けられている。
【００４７】
内障子３及び外障子４は、矩形状に框組みされた框体３５、４５と、框体３５、４５にて囲まれた領域に設けられる複層ガラス７と、複層ガラス７を室外側から押さえる押縁８、とを有している。また、内障子３の召合せ框３４には、上下方向にける中央付近に障子３、４を施錠するためのクレセント錠５０が設けられており、外障子４の召合せ框３４には、クレセント錠５０と係合する受け部材５１が設けられている。
【００４８】
框体３５、４５は、同一の断面形状をなす合成樹脂製の３本の押出成形部材が上框３１、４１、下框３２、４２、及び、戸先框３３、４３と、断面形状が異なる合成樹脂製の召合せ框３４、４４とを有している。上框３１、４１、下框３２、４２、戸先框３３、４３、及び、召合せ框３４、４４は、各々長手方向に貫通する框体中空部３５ａ、４５ａを有する框本体３５ｂ、４５ｂを有しており、框本体３５ｂ、４５ｂの室内側の端部から長手方向における全域に渡って内周側に突出させた内側突出部３５ｃ、４５ｃが設けられ、框本体３５ｂ、４５ｂの室外側の端部には框体中空部３５ａ、４５ａ内に窪み押縁８が嵌合される嵌合凹部３５ｄ、４５ｄが設けられている。
【００４９】
そして、上框３１、４１、下框３２、４２、戸先框３３、４３、及び、召合せ框３４、４４は、各々所定の長さにて端部が４５度に切断され、共通に設けられている框本体３５ｂ、４５ｂと、内側突出部３５ｃ、４５ｃとが、互いに突き合わされて溶着されている。上框３１、４１、下框３２、４２、戸先框３３、４３、及び、召合せ框３４、４４は、溶着される際に、各框体中空部３５ａ、４５ａ内には、不燃性である金属製の框側補強部材２７が収容される。框側補強部材２７は、対向する２つの壁部２７ａと２つに壁部２７ａの一方の端部同士を繋ぐ連結部２７ｂとで断面がコ字状をなす金属製の部材であり、コ字状の開放された側が室内側を向くように配置されている。框側補強部材２７の連結部２７ｂは、嵌合凹部３５ｄ、４５ｄより室内側に位置しており、連結部２７ｂの嵌合凹部３５ｄ、４５ｄと対向しない位置の表裏面にそれぞれ熱膨張性黒鉛３８が、長手方向における全域に渡って設けられている。
【００５０】
各框体中空部３５ａ、４５ａ内に収容された框側補強部材２７は、一方の壁部２７ａに、框体３５、４５の内周側、すなわち、上框３１、４１、下框３２、４２、及び、戸先框３３、４３の框本体３５ｂ、４５ｂより内周側にて複層ガラス７を保持する保持金具２８がビス止めされている。
【００５１】
上框３１、４１、下框３２、４２、及び、戸先框３３、４３の外周側には、框本体３５ｂ、４５ｂの室内側及び室外側から外側に突出する内側外周突部３５ｅ、４５ｅ及び外側外周突部３５ｆ、４５ｆが見込み方向において互いに間隔を隔てて設けられている。すなわち、上框３１、４１、下框３２、４２、及び、戸先框３３、４３の外周側には、框本体３５ｂ、４５ｂ、内側外周突部３５ｅ、４５ｅ及び外側外周突部３５ｆ、４５ｆにて、框体３５、４５の内周側に窪む框側溝部３５ｇ、４５ｇが設けられている。
【００５２】
上框３１、４１、下框３２、４２、及び、戸先框３３、４３が有する各框側溝部３５ｇ、４５ｇの内周面には、遮炎金具２９が長手方向における全域に設けられ、各框体中空部３５ａ、４５ａ内に収容された框側補強部材２７とビス止めされている。また、上框３１、４１の框側溝部３５ｇ、４５ｇ内には、上框３１、４１の召合せ部側に、上枠１１に設けられた吊り下げ金具２３と対向する位置に、吊り下げ金具２３の鉤状部２３ｃと係合可能なフック部３６ａを有するフック金具３６が、遮炎金具２９とともに框側補強部材２７とビス止めされている。すなわち、内障子３及び外障子４の上端側において、召合せ側にそれぞれフック金具３６が設けられている。
【００５３】
吊り下げ金具２３とフック金具３６とは、通常は互いに接触および係合することなく間隔を隔てて移動している。そして、内障子３及び外障子４にて開口１０ａを閉塞した状態にて、火炎等により枠体１０及び框体３５に軟化及び溶融等が生じて内障子３及び外障子４が降下したときに、吊り下げ金具２３とフック金具３６とが係合して、内障子３及び外障子４が保持されるように構成されている。
【００５４】
内障子３の框側溝部３５ｇを形成する内側外周突部３５ｅの内面に沿わされた遮炎金具２９の表面と、外障子４の框側溝部４５ｇを形成する外側外周突部４５ｆの内面に沿わされた遮炎金具２９の表面とには、熱膨張性黒鉛３８が上框３１、４１、下框３２、４２、及び、戸先框３３、４３の全域に渡って設けられている。また、内障子３及び外障子４の戸先框３３、４３の遮炎金具２９の内側には引寄部材３７が設けられており、内障子３及び外障子４にて開口１０ａを閉塞したときに、左枠１３及び右枠１４に取り付けられた係合部材２５の係合片２５ａが戸先框３３、４３の框側溝部３５ｇ、４５ｇに挿入され、框側溝部３５ｇ、４５ｇ内にて係合片２５ａと引寄部材３７とが係合する。
【００５５】
図１１に示すように、召合せ框３４、４４の框側溝部３５ｇ、４５ｇ内にも、２つの壁部２７１ａと連結部２７１ｂとで断面がコ字状をなす金属製の框側補強部材２７１が設けられている。召合せ框３４、４４は、上框３１、４１、下框３２、４２、及び、戸先框３３、４３と異なり、障子を閉じた状態でも上下端部以外は枠体と係合しないので加熱により反りが生じやすい。このため、上框３１、４１、下框３２、４２、及び、戸先框３３、４３に設けられた框側補強部材２７より剛性が高い、具体的には厚みが厚い框側補強部材２７１が設けられている。框側補強部材２７１は、コ字状の開放された側が戸尻側を向くように配置されている。框側補強部材２７１の一方の壁部２７１ａは、嵌合凹部３５ｄ、４５ｄより室内側に位置し、嵌合凹部３５ｄ、４５ｄと対向しない位置において、外障子は室内側に、内障子は室外側にそれぞれ熱膨張性黒鉛３８が、長手方向における全域に渡って設けられている。
【００５６】
本実施形態の建具１によれば、本体内板部１１ｂから枠体１０の内周側に突出し障子３、４を案内する中央壁部１１ｅに備えられスライド方向に沿って形成された内周中空部１１ｏに金属製の遮炎部材１６が収容されており、遮炎部材１６はスライド方向に沿って中央壁部１１ｅと繋がるように配置される中継部材２２に支持されており、中継部材２２は、中央中空部１１ｋに収容されて躯体２に保持される金属製の第１枠側補強部材２０に金属製の固定具、たとえばビス２６により固定されている。このため、たとえ、建具１が火炎に晒されて加熱され合成樹脂製の枠体１０が溶融したとしても、遮炎部材１６は躯体２に保持された第１枠側補強部材２０に固定された中継部材２２に支持されているので、火炎が枠体１０と障子３、４との間から見込み方向に貫通することを防止することが可能である。このため、火炎に晒されても貫通しにくい合成樹脂製の枠体１０を備えた建具１を提供することが可能である。
【００５７】
また、金属製の中継部材２２が、開口１０ａを閉じた状態の障子３、４の戸尻側の部位と対向する位置に設けられているので、障子３、４の戸尻側となる、室内外の境界において、火炎が貫通することを防止することが可能である。
【００５８】
また、中継部材２２の外周側に設けられた、左右方向に沿うスリット２２ｇに挿入されて、中継部材２２の左右方向における縁部２２ｈに遮炎部材１６に設けられた切欠部１６ｃの左右方向における縁部１６ｄが係合するので、遮炎部材１６を左右方向に位置決めすることが可能であり、遮炎部材１６の移動を規制することが可能である。
【００５９】
また、中継部材２２は、遮炎部材１６が挿入されたスリット２２ｇの、見込み方向における両側にて固定されているので、遮炎部材１６が中継部材２２から外れることを防止することが可能である。
【００６０】
また、遮炎部材１６には、開口１０ａを閉じた状態の障子３、４と対向する部位に熱膨張性黒鉛３８が設けられているので、建具１が火炎に晒されて加熱された場合には熱膨張性黒鉛３８が膨張して遮炎部材１６と障子３、４との間が膨張した黒鉛で埋められる。このため、火炎がより貫通しにくい建具１を提供することが可能である。
【００６１】
また、障子３、４の周縁部が収容される室内側溝部１１ｉ、室外側溝部１１ｊを形成する中央壁部１１ｅに収容された遮炎部材１６の、開口１０ａを閉じた状態の障子３、４が位置する一方側に熱膨張性黒鉛３８が設けられているので、建具１が火炎に晒されて加熱された場合には熱膨張性黒鉛３８が膨張して遮炎部材１６と障子３、４との間が膨張した黒鉛で埋められる。このため、火炎がより貫通しにくい建具１を提供することが可能である。
【００６２】
上記実施形態においては、上枠１１の中央壁部１１ｅ内に遮炎部材１６を備えた例について説明したが、下枠１２にも遮炎部材を備える、或いは、左右の縦枠にも遮炎部材を備えても構わない。また、遮炎部材１６を支持する中継部材２２を召合せ部に設けた例について説明したが、これに限らず、遮炎部材を支持することができれば、その他の場所に設ける、或いは、複数設けても構わない。たとえば、引き違い方式の障子を備えた建具の縦枠に遮炎部材を備える場合には、上下の端部に中継部材２２を設けて遮炎部材を支持することにより、縦枠に設けた遮炎部材を縦枠に沿わせて支持することが可能である。
【００６３】
また、上記実施形態においては、本体内板部１１ｂから枠体１０の内周側に突出し障子３、４を案内し、遮炎部材１６が収容される中央壁部１１ｅが、見込み方向において内障子３と外障子４との間に設けられて、内障子３および外障子４の周縁部が収容される室内側溝部１１ｉおよび室外側溝部１１ｊを構成する例について説明したが、中央壁部１１ｅが内障子および外障子のレールをなす構成であっても構わない。
【００６４】
上記実施形態においては、左右方向にスライドする内障子３及び外障子４を備えた引き違い方式の建具を例に挙げて説明したが、これに限るものではない。たとえば、３枚以上の障子が左右方向にスライドする引き違い方式の窓や両袖片引き窓や引き分け窓、枠体内の領域が縦骨により区分けされ、区分けされた一方の領域がＦＩＸ窓や壁をなす片引き窓であっても構わない。片引き窓の場合には、障子の戸尻側の部位と縦骨とが対向する部位が召合せ部となる。また、枠体１０の内周側に突出する中央壁部１１ｅが縦枠に設けられて障子が上下方向にスライドする上げ下げ窓であっても構わない。この場合には、上述した枠体１０が９０度回転した状態のように、縦枠に設けられた中央壁部１１ｅ内に遮炎部材が設けられ、上下方向のほぼ中央の召合せ部に中継部材を設ける。
【００６５】
上記実施形態においては、吊り下げ金具２３及び吊り下げ金具２３と係合するフック金具３６を内障子３及び外障子４の召合せ部１０ｂに設ける例について説明したが、これに限らず、召合せ部１０ｂと、内障子３及び外障子４の戸先側にそれぞれ設けられていてもよい。
【００６６】
上記実施形態においては、遮炎部材１６、第１枠側補強部材２０および框側補強部材２７を不燃性である金属製としたが、鉄・ステンレス等の不燃性である金属等は、もちろんのこと、火災によりまず表面が炭化し、炭化した表面の断熱効果により内部に燃え進むことを遅らせる、例えば、ＭＤＦ・木材等のような難燃性の材料にて補強部材を構成しても構わない。また、前述した金属製材料と木材の組合せで構成された補強材でも構わない。
【００６７】
また、中継部材２２、吊り下げ金具２３、フック金具３６を不燃性である金属製としたが、鉄・ステンレス等の不燃性である金属はもちろんのこと、燃焼に時間がかかる難燃性の部材にて構成しても構わない。
【００６８】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００６９】
１  建具、２  躯体、３内障子、４  外障子、１０  枠体、１０ａ  開口、
１１  上枠、１１ｂ  本体内板部、１１ｅ  中央壁部、１１ｉ  室内側溝部、
１１ｊ  室外側溝部、１１ｋ  中央中空部、１１ｏ  内周中空部、
１６  遮炎部材、１６ｃ  切欠部、１６ｄ  切欠部の縁部、２０  枠側補強部材、
２２  中継部材、２２ｇ  スリット、２２ｈ  中継部材の縁部、２６  ビス、
３８  熱膨張性黒鉛、１２０  枠側補強部材
【図１】
2015105466.tif 000003
【図２】
2015105466.tif 000004
【図３】
2015105466.tif 000005
【図４】
2015105466.tif 000006
【図５】
2015105466.tif 000007
【図６】
2015105466.tif 000008
【図７】
2015105466.tif 000009
【図８】
2015105466.tif 000010
【図９】
2015105466.tif 000011
【図１０】
2015105466.tif 000012
【図１１】
2015105466.tif 000013